【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
明るさを表す成分と色の濃さを表す成分とによって表現される色空間の画像において、前記明るさを表す成分に対して、所定の明るさで傾きが変化する階調変換特性に応じて階調変換処理を施す階調変換手段と、
前記色の濃さを表す成分に対して、変調特性を乗じて変調処理を施す変調手段とを備え、
前記明るさを表す成分は、前記色空間の色域の上限が前記明るさを表す成分のみによって定まる性質をもつことを特徴とする画像処理装置。
【請求項２】
請求項１に記載の画像処理装置において、
前記変調特性は、前記所定の明るさより明るい領域での傾きが、前記所定の明るさよりも暗い領域における傾きよりも小さくなるように設定されていることを特徴とする画像処理装置。
【請求項３】
請求項１に記載の画像処理装置において、
前記色の濃さを表す成分は、画像の色飽和度を表す成分であって、
前記変調手段は、前記画像の色飽和度を表す成分に対して飽和度変調処理を施すことを特徴とする画像処理装置。
【請求項４】
請求項１に記載の画像処理装置において、
前記色の濃さを表す成分は、画像の色差を表す成分であって、
前記変調手段は、前記画像の色差を表す成分に対して色差変調処理を施すことを特徴とする画像処理装置。
【請求項５】
請求項２〜４のいずれか一項に記載の画像処理装置において、
前記変調特性は、前記明るさを表す成分の入力値が前記所定の明るさ以下の場合には所定値を出力し、前記明るさを表す成分の入力値が前記所定の明るさより大きい場合には減少関数に基づく出力値を出力するように設定された特性であることを特徴とする画像処理装置。
【請求項６】
請求項５に記載の画像処理装置において、
前記減少関数は、単調減少関数であることを特徴とする画像処理装置。
【請求項７】
請求項１に記載の画像処理装置において、
前記色空間の色域の前記明るさを表す成分の上限が前記色の濃さを表す成分にかかわらず一定であることを特徴とする画像処理装置。
【請求項８】
三原色信号によって表される色空間の画像を輝度色差信号によって表される色空間の画像に変換する色変換手段と、
色差信号によって定まる色相で複数に分割したそれぞれの領域で輝度信号を第二の輝度信号に変換する輝度変換手段と、
前記第二の輝度信号に階調変換を施す階調変換手段と、
前記色差信号に変調特性を乗じて変調処理を施す変調手段とを備え、
前記第二の輝度信号は、前記三原色信号によって表される色空間の上限が前記第二の輝度信号のみによって定まる性質をもつことを特徴とする画像処理装置。
【請求項９】
明るさを表す成分と色の濃さを表す成分とによって表現される色空間の画像において、前記明るさを表す成分に対して、所定の明るさで傾きが変化する階調変換特性に応じて階調変換処理を施し、
前記色の濃さを表す成分に対して、変調特性を乗じて変調処理を施し、
前記明るさを表す成分は、前記色空間の色域の上限が前記明るさを表す成分のみによって定まる性質をもつことを特徴とする画像処理方法。
【請求項１０】
請求項９に記載の画像処理方法において、
前記変調特性は、前記所定の明るさより明るい領域での傾きが、前記所定の明るさよりも暗い領域における傾きよりも小さくなるように設定されていることを特徴とする画像処理方法。
【請求項１１】
請求項９に記載の画像処理方法において、
前記色の濃さを表す成分は、画像の色飽和度を表す成分であって、
前記画像の色飽和度を表す成分に対して飽和度変調処理を施すことを特徴とする画像処理方法。
【請求項１２】
請求項９に記載の画像処理方法において、
前記色の濃さを表す成分は、画像の色差を表す成分であって、
前記画像の色差を表す成分に対して色差変調処理を施すことを特徴とする画像処理方法。
【請求項１３】
請求項１０〜１２のいずれか一項に記載の画像処理方法において、
前記変調特性は、前記明るさを表す成分の入力値が前記所定の明るさ以下の場合には所定値を出力し、前記明るさを表す成分の入力値が前記所定の明るさより大きい場合には減少関数に基づく出力値を出力するための特性であることを特徴とする画像処理方法。
【請求項１４】
請求項１３に記載の画像処理方法において、
前記減少関数は、単調減少関数であることを特徴とする画像処理方法。
【請求項１５】
請求項９に記載の画像処理方法において、
前記色空間の色域の前記明るさを表す成分の上限が前記色の濃さを表す成分にかかわらず一定であることを特徴とする画像処理方法。
【請求項１６】
三原色信号によって表される色空間の画像を輝度色差信号によって表される色空間の画像に変換し、
色差信号によって定まる色相で複数に分割したそれぞれの領域で輝度信号を第二の輝度信号に変換し、
前記第二の輝度信号に階調変換を施し、
前記色差信号に変調特性を乗じて変調処理を施し、
前記第二の輝度信号は、前記三原色信号によって表される色空間の上限が前記第二の輝度信号のみによって定まる性質をもつことを特徴とする画像処理方法。
【請求項１７】
請求項９〜１６のいずれか一項に記載の画像処理方法をコンピュータに実行させるための画像処理プログラム。
【請求項１８】
画像を撮像して取得する画像取得手段と、
請求項１〜８のいずれか一項に記載の画像処理装置を備えるカメラであって、
前記階調変換手段は、前記画像取得手段で取得した画像の各画素の明るさを表す成分に対して前記階調変換処理を施し、
前記変調手段は、前記画像取得手段で取得した画像の各画素の色の濃さを表す成分に対して前記変調処理を施すことを特徴とするカメラ。
【手続補正２】
【補正対象書類名】明細書
【補正対象項目名】０００５
【補正方法】変更
【補正の内容】
【０００５】
本発明による画像処理装置および方法は、明るさを表す成分と色の濃さを表す成分とによって表現される色空間の画像において、前記明るさを表す成分に対して、所定の明るさで傾きが変化する階調変換特性に応じて階調変換処理を施し、色の濃さを表す成分に対して、変調特性を乗じて変調処理を施し、明るさを表す成分は、色空間の色域の上限が明るさを表す成分のみによって定まる性質をもつことを特徴とする。
本発明では、変調特性は、所定の明るさより明るい領域での傾きが、所定の明るさよりも暗い領域における傾きよりも小さくなるように設定されているようにしてもよい。
また、本発明では、色の濃さを表す成分は、画像の色飽和度を表す成分であって、画像の色飽和度を表す成分に対して飽和度変調処理を施すようにしてもよく、または色の濃さを表す成分は、画像の色差を表す成分であって、画像の色差を表す成分に対して色差変調処理を施すようにしてもよい。
変調特性は、明るさを表す成分の入力値が所定の明るさ以下の場合には所定値を出力し、明るさを表す成分の入力値が所定の明るさより大きい場合には減少関数に基づく出力値を出力することが好ましく、この減少関数は、単調減少関数が好ましい。
色空間の色域の前記明るさを表す成分の上限が前記色の濃さを表す成分にかかわらず一定であることが好ましい。
本発明による画像処理装置および方法はまた、三原色信号によって表される色空間の画像を輝度色差信号によって表される色空間の画像に変換し、色差信号によって定まる色相で複数に分割したそれぞれの領域で輝度信号を第二の輝度信号に変換し、第二の輝度信号に階調変換を施し、色差信号に変調特性を乗じて変調処理を施し、第二の輝度信号は、三原色信号によって表される色空間の上限が第二の輝度信号のみによって定まる性質をもつことを特徴とする。
本発明による画像処理プログラムは、上記画像処理方法をコンピュータに実行させることを特徴とする。
本発明によるカメラは、上記画像処理装置を備え、画像を撮像して取得し、取得した画像の各画素の明るさを表す成分に対して階調変換処理を施し、取得した画像の各画素の色の濃さを表す成分に対して変調処理を施すことを特徴とする。
【手続補正３】
【補正対象書類名】明細書
【補正対象項目名】００３９
【補正方法】変更
【補正の内容】
【００３９】
この図１２に示すゲインｇ´は、図１１に示した階調変換特性と同様に、輝度のニーポイントを１０００に設定し、ニーポイント以下では色の濃さを一定に保ち、ニーポイントより大きくなると漸時色が薄くなるように設定されている。具体的には、このゲインｇ´は、入力輝度Ｖｉｎがニーポイント（１０００）以下の場合には出力値が輝度の変化率となり、入力輝度Ｖｉｎがニーポイントより大きくなるにつれて単調減少するように設定されている。